(57)【要約】【課題】携帯情報端末の電波の受信状況を簡易に適正化する技術を提供する。【解決手段】複数の無線基地局（200）のそれぞれは、自局の位置情報および自局の周辺に関する地図情報を記憶装置に記憶する。携帯情報端末（100）は、規定のユーザ操作を認識したとき各無線基地局からの電波の受信レベルを測定し、最も高い受信レベルに対応する無線基地局へ該無線基地局の位置情報および地図情報を要求する。携帯情報端末からの要求を受けた無線基地局は、記憶装置に記憶した自局の位置情報および地図情報を携帯情報端末へ送信する。携帯情報端末は、受信した位置情報に基づき自端末に対する当該無線基地局の位置を求め、その位置を表す情報を地図情報に付加して表示装置へ表示する。【選択図】図１
2007266945.tif 000002
【特許請求の範囲】
【請求項１】
複数の無線基地局と、前記複数の無線基地局と交信する携帯情報端末とを備え、
前記各無線基地局は、記憶装置に記憶した自局の位置情報および自局の通信エリアに関する地図情報を前記携帯情報端末へ送信する手段を有し、
前記携帯情報端末は、前記各無線基地局からの電波の受信レベルを測定する手段と、最も高い受信レベルに対応する無線基地局へ該無線基地局の位置情報および地図情報を要求する手段と、前記要求により受信した位置情報に基づき自端末に対する当該無線基地局の位置を求める手段と、前記要求により受信した地図情報に当該無線基地局の位置を表す情報を付加し表示装置へ表示する手段とを有することを特徴とする無線通信システム。
【請求項２】
前記携帯情報端末は、規定のユーザ操作を認識したとき前記各無線基地局からの電波の受信レベルの測定を実行することを特徴とする請求項１記載の無線通信システム。
【請求項３】
前記各無線基地局は、前記携帯情報端末から自局の位置情報および地図情報を要求されたとき、前記地図情報に対応する店舗に関し記憶装置に記憶した店舗情報を前記位置情報および地図情報に付加して送信し、
前記携帯情報端末は、前記店舗情報を前記地図情報に付加して表示することを特徴とする請求項１又は２記載の無線通信システム。
【請求項４】
自局の位置情報および自局の通信エリアに関する地図情報を有する複数の無線基地局と交信する携帯情報端末であって、
前記各無線基地局からの電波の受信レベルを測定する手段と、最も高い受信レベルに対応する無線基地局へ該無線基地局の位置情報および地図情報を要求する手段と、前記要求により受信した位置情報に基づき自端末に対する当該無線基地局の位置を求める手段と、前記要求により受信した地図情報に当該無線基地局の位置を表す情報を付加し表示装置へ表示する手段とを有することを特徴とする携帯情報端末。
【請求項５】
規定のユーザ操作を認識したとき前記各無線基地局からの電波の受信レベルの測定を実行することを特徴とする請求項４記載の携帯情報端末。
【請求項６】
コンピュータを請求項４又は５記載の携帯情報端末として機能させることを特徴とするプログラム。
【請求項７】
記憶装置に保存された自局の位置情報および自局の通信エリアに関する地図情報を携帯情報端末へ送信する手段を備えることを特徴とする無線基地局。
【請求項８】
前記携帯情報端末から自局の位置情報および地図情報を要求されたとき、前記地図情報に対応する店舗に関し記憶装置に保存された店舗情報を前記位置情報および地図情報に付加して送信することを特徴とする請求項７記載の無線基地局。
【請求項９】
コンピュータを請求項７又は８記載の無線基地局として機能させることを特徴とするプログラム。
【請求項１０】
複数の無線基地局のそれぞれが、自局の位置情報および自局の通信エリアに関する地図情報を記憶装置に記憶し、
前記複数の無線基地局と交信する携帯情報端末が、前記各無線基地局からの電波の受信レベルを測定し、最も高い受信レベルに対応する無線基地局へ該無線基地局の位置情報および地図情報を要求し、
前記携帯情報端末からの要求を受けた無線基地局が、記憶装置に記憶した自局の位置情報および地図情報を前記携帯情報端末へ送信し、
前記携帯情報端末が、前記要求により受信した位置情報に基づき自端末に対する当該無線基地局の位置を求め、前記要求により受信した地図情報に当該無線基地局の位置を表す情報を付加し表示装置へ表示することを特徴とする表示制御方法。
【請求項１１】
前記携帯情報端末が、規定のユーザ操作を認識したとき前記各無線基地局からの電波の受信レベルの測定を実行することを特徴とする請求項１０記載の表示制御方法。
【請求項１２】
前記複数の無線基地局のそれぞれが、自局の地図情報に対応する店舗に関する店舗情報を記憶装置に記憶し、
前記携帯情報端末からの要求を受けた無線基地局が、前記店舗情報を前記位置情報および地図情報に付加して送信し、
前記携帯情報端末が、前記店舗情報を前記地図情報に付加して表示することを特徴とする請求項１０又は１１記載の表示制御方法。
【発明の詳細な説明】
【技術分野】
【０００１】
本発明は、無線基地局と交信する携帯電話機のような携帯情報端末に関し、特に、携帯情報端末における電波の受信状況に応じた表示制御に関する。
【背景技術】
【０００２】
従来、携帯情報端末のユーザに対するサービスとして、端末に所望の地図情報を配信するサービスがある。その一例として、後述の特許文献１に記載のものがある。特許文献１には、地図情報を保持する地図サーバが、携帯電話機からの要求に基づき経路案内地図および案内文を送信するというシステムが提案されている。
【特許文献１】特開２００１−００４３９４号公報
【発明の開示】
【発明が解決しようとする課題】
【０００３】
上記特許文献１のシステムによれば、携帯電話機のユーザに対し所望の地図を提供することができる。しかしながら、上記のようなサービスを受けるにあたっては、ユーザが現在地での電波の受信状況を考慮する必要がある。すなわち、携帯電話機により地図情報を取得しようとする際、その現在地が電波の届き難い場所である場合は、サービスを受けることが困難となる。
【０００４】
このように電波の受信状態が悪い場合、より良い電波状態となる場所を求めて自ら周辺を探索する必要があるが、それはユーザにとって煩わしく負担となる作業である。
【０００５】
本発明は、上記課題に鑑みてなされたものであり、携帯情報端末の電波の受信状況を簡易に適正化するための技術を提供することを目的とする。
【課題を解決するための手段】
【０００６】
本発明に係る無線通信システムは、複数の無線基地局と、前記複数の無線基地局と交信する携帯情報端末とを備え、前記各無線基地局は、記憶装置に記憶した自局の位置情報および自局の通信エリアに関する地図情報を前記携帯情報端末へ送信する手段を有し、前記携帯情報端末は、前記各無線基地局からの電波の受信レベルを測定する手段と、最も高い受信レベルに対応する無線基地局へ該無線基地局の位置情報および地図情報を要求する手段と、前記要求により受信した位置情報に基づき自端末に対する当該無線基地局の位置を求める手段と、前記要求により受信した地図情報に当該無線基地局の位置を表す情報を付加し表示装置へ表示する手段とを有する。
【０００７】
本発明に係る表示制御方法は、複数の無線基地局のそれぞれが、自局の位置情報および自局の通信エリアに関する地図情報を記憶装置に記憶し、前記複数の無線基地局と交信する携帯情報端末が、前記各無線基地局からの電波の受信レベルを測定し、最も高い受信レベルに対応する無線基地局へ該無線基地局の位置情報および地図情報を要求し、前記携帯情報端末からの要求を受けた無線基地局が、記憶装置に記憶した自局の位置情報および地図情報を前記携帯情報端末へ送信し、前記携帯情報端末が、前記要求により受信した位置情報に基づき自端末に対する当該無線基地局の位置を求め、前記要求により受信した地図情報に当該無線基地局の位置を表す情報を付加し表示装置へ表示するという方法である。
【発明の効果】
【０００８】
本発明によれば、携帯情報端末が、電波を適正に受信できる無線基地局を選定し、その通信エリアに関する地図を表示することから、適正に受信可能なエリアをユーザ自らが歩き回り探索することは不要となる。また、適正な受信レベルが得られるエリアを表示することで、ユーザが、受信状態の悪化する方向へ移動することを防止できる。これにより、実行中の通信が切断されることを回避することができる。
【発明を実施するための最良の形態】
【０００９】
図１に、本発明の実施形態の構成を示す。実施形態のシステムは、携帯電話機のような携帯情報端末１００と、複数の無線基地局２００とを備える。携帯情報端末１００は、図１に示すように、画面を表示するディスプレイ１０１と、後述のサーチキー１０２Ａを含む入力キー１０２とを備える。
【００１０】
図２に、携帯情報端末１００のハードウェアに関する基本構成を示す。携帯情報端末１００の基本構成は、一般の携帯情報端末のそれと同様であり、すなわち、制御装置であるＣＰＵ１０と、無線通信を実行する通信装置２０と、図１に示すディスプレイ１０１及び入力キー１０２に対応する表示装置３０及び入力装置４０と、ＣＰＵ１０が実行するプログラムを記憶するプログラムメモリ５０と、処理データを一時的に記憶するデータメモリ６０と、スピーカ等の出力装置７０とである。
【００１１】
各無線基地局２００は、自局の所在地に関する経度及び緯度のような位置情報２００ａと、自局の通信エリアに関する地図の画像データである地図情報２００ｂとを予め記憶装置（図示略）に保持する。これら位置情報２００ａ及び地図情報２００ｂは、携帯情報端末１００にて認識可能なデータにより構成する。
【００１２】
図３に示すフローチャートを参照して、システムにおける携帯情報端末１００の動作について説明する。以下の機能は、携帯情報端末１００において、図２に示すＣＰＵ１０がプログラムメモリ５０のプログラムを実行することによる作用に対応する。
【００１３】
まず、携帯情報端末１００の現在地において電波の受信レベルが低下し、通話やデータ通信が困難となったとき、ユーザが携帯情報端末１００のサーチキー１０２Ａを押下する。
【００１４】
携帯情報端末１００は、サーチキー１０２Ａの押下操作を認識すると（ステップＳ１）、現時点で捕捉可能な電波の受信レベルを無線基地局２００ごとに測定する（ステップＳ２）。そして、測定した受信レベルのうち、現時点で最大値の受信レベルに対応する無線基地局２００を特定する（ステップＳ３）。携帯情報端末１００は、特定した無線基地局２００に対し、その局の位置情報２００ａ及び地図情報２００ｂを要求する信号を送信する（ステップＳ４）。
【００１５】
携帯情報端末１００は、上記要求に対し当該無線基地局２００から応答を受信すると、受信した位置情報２００ａに基づいて自端末の現在地に対する当該無線基地局２００の位置及び方位を求め、それらを、受信した地図情報２００ｂに付加する（ステップＳ５）。携帯情報端末１００は、無線基地局２００に関する情報が付加された地図をディスプレイ１０１に表示する（ステップＳ６）。
【００１６】
図４に、携帯情報端末１００のディスプレイ１０１に表示される地図の一例を示す。図示の例は、受信レベルが最も良好である無線基地局２００の通信エリアを「推奨エリア」とし、このエリアと携帯情報端末１００の「現在地」との位置関係を示したものである。図示の例では、「現在地」から「推奨エリア」までをナビゲートする情報も表示されているが、これは省略してもよい。
【００１７】
携帯情報端末１００のユーザは、ディスプレイ１０１の表示内容を参照して移動することで、電波の受信感度を適正にすることができる。これにより、通話やデータ通信を快適に行うことができる。
【００１８】
図５に示すフローチャートを参照して、無線基地局２００の動作について説明する。無線基地局２００は、自局の位置情報２００ａ及び地図情報２００ｂの要求を携帯情報端末１００から受信すると（ステップＳ１１）、予め登録されている位置情報２００ａ及び地図情報２００ｂを読み出す（ステップＳ１２）。そして、読み出した位置情報２００ａ及び地図情報２００ｂを携帯情報端末１００へ送信する（ステップＳ１３）。
【００１９】
以上説明した実施形態によれば、携帯情報端末１００が、電波を適正に受信できるエリアを選定し表示することから、そのようなエリアをユーザ自らが歩き回り探索することは不要となる。これにより、携帯情報端末１００の利便性が高められる。また、適正な受信レベルが得られるエリアを表示することで、ユーザが、受信状態の悪化する方向へ移動することを防止できる。これにより、実行中の通信が切断されることを回避することができる。
【００２０】
なお、上記実施形態の仕組みを利用し、各無線基地局２００の通信エリア内にある店舗に関する情報を携帯情報端末１００へ提供することも可能である。具体的には、対象の店舗の場所及び広告文等を店舗情報として各無線基地局２００に保持させておき、携帯情報端末１００から要求を受けたとき、位置情報２００ａ及び地図情報２００ｂと共に店舗情報を送信するというものである。
【００２１】
これにより、受信感度を適正にすべく移動するユーザに対し、各移動先に存在する店舗の情報を提供することができる。また、店舗等にとっては、効果的な広告を実現できるというメリットがある。
【００２２】
上記実施形態では、携帯情報端末１００がサーチキー１０２Ａの押下操作を契機に受信レベルを測定したが、その契機は、押下操作に限らず、音声入力のような他の操作であってもよい。また、ユーザ操作を測定の契機とすることに替えて、契機を自動的に認識するようプログラムにより設定してもよい。その手法としては、例えば、現在利用中の無線基地局２００からの受信レベルが、所定期間、規定のレベルを下回ったとき、受信感度の低下と判断し、図３のＳ２〜Ｓ６を実行するというものである。これにより、ユーザの利便性を高めることができる。
【図面の簡単な説明】
【００２３】
【図１】本発明の実施形態のシステム構成を示すブロック図である。
【図２】実施形態の携帯情報端末の基本構成を示すブロック図である。
【図３】実施形態の携帯情報端末の動作手順を示すフローチャートである。
【図４】実施形態の携帯情報端末に表示される画面の説明図である。
【図５】実施形態の無線基地局の動作手順を示すフローチャートである。
【符号の説明】
【００２４】
１００  携帯情報端末
１０１  ディスプレイ
１０２  入力キー
１０２Ａ  サーチキー
２００  無線基地局
１０：ＣＰＵ、２０：通信装置、３０：表示装置、４０：入力装置、５０：プログラムメモリ、６０：データメモリ、７０：出力装置
【図１】
2007266945.tif 000003
【図２】
2007266945.tif 000004
【図３】
2007266945.tif 000005
【図４】
2007266945.tif 000006
【図５】
2007266945.tif 000007